(57)【特許請求の範囲】
【請求項１】
データのパケットを遠隔の通信局に伝送するパケット交換網において、メッセージデータのパケットと活動要求データのパケットを前記遠隔の通信局に選択的に送信する装置であって、
メッセージデータのパケットと、チャンネル割付けを減らすためにメッセージデータのパケットの代わりに用いる活動要求データのパケットとを受けるよう選択的に結合して、メッセージデータのパケットと活動要求のパケットをそれぞれ受けるとこれを送信する、送信機と、
送信されたパケットを前記遠隔の通信局が受信したことを確認する肯定応答信号を前記遠隔の通信局が生成したかどうか検出する応答検出器と、
前記応答検出器の検出に応じてメッセージデータの次のパケットと活動要求データの次のパケットを選択的に受けるように前記送信器の結合を制御して、これにより送信器を、送信されたパケットに対する肯定応答信号を前記応答検出器が検出したときはメッセージデータの次のパケットを受けるよう選択的に結合し、また送信されたパケットに対する肯定応答信号がないことを前記応答検出器が検出したときは活動要求データの前記次のパケットを受けるよう選択的に結合するパケットデータコントローラと、
を備えるデータを選択的に送信する装置。
【請求項２】
前記送信器が選択的に結合して受けるメッセージデータの各パケットはメッセージフレームを含み、また前記送信器が選択的に結合して受ける活動要求データの各パケットは活動要求フレームを含む、請求項１に記載のデータを選択的に送信する装置。
【請求項３】
少なくとも前記肯定応答信号がないことを前記応答検出器が検出すると、活動要求フレームの長さとメッセージフレームの長さを比較して比較信号を生成するフレーム長さ比較器を更に備える、請求項２に記載のデータを選択的に送信する装置。
【請求項４】
前記パケットコントローラは、前記フレーム長さ比較器が生成する比較信号を受けるよう結合して、前記活動要求フレームの長さが前記メッセージデータフレームの長さより短いと前記フレーム長さ比較器が判定したときは前記活動要求フレームを受けるよう前記送信器を選択的に結合する、請求項３に記載のデータを選択的に送信する装置。
【請求項５】
前記パケットコントローラは、前記活動要求フレームの長さが前記メッセージデータフレームの長さより長いと前記フレーム長さ比較器が判定したときは前記活動要求フレームを受けるようには前記送信器を選択的に結合しない、請求項４に記載のデータを選択的に送信する装置。
【請求項６】
前記活動要求フレームの長さは選択された長さであり、前記フレーム長さ比較器は前記メッセージフレームの長さと前記活動要求フレームの選択された長さを表す値とを比較する、請求項３に記載のデータを選択的に送信する装置。
【請求項７】
前記フレーム長さ比較器に結合して前記活動要求フレームの選択された長さの値を記憶する活動要求長さメモリ要素を更に含む、請求項６に記載のデータを選択的に送信する装置。
【請求項８】
前記応答検出器は前記遠隔の通信局が生成したメッセージ関係の信号を更に検出し、また前記パケットデータコントローラは前記応答検出器が前記メッセージ関係の信号を検出したときはメッセージデータの次のパケットを受けるよう前記送信器を選択的に結合する、請求項１に記載のデータを選択的に送信する装置。
【請求項９】
メッセージデータのパケットと活動要求データのパケットをパケット交換網から遠隔の通信局に選択的に送信する方法であって、
メッセージデータの選択された数のパケットを前記遠隔の通信局に送信するステップと、
メッセージデータの選択された数の送信されたパケットの少なくとも１個を前記遠隔の通信局が受信したことを確認する肯定応答信号を前記遠隔の通信局が生成したことを検出するステップと、
メッセージデータの選択された数のデータパケットの少なくとも１個を前記遠隔通信局が受信したことを確認する肯定応答信号を受信したときは、メッセージデータの少なくとも１個の次のパケットを前記遠隔の通信局に送信するステップと、そうでないときは、
チャンネル割付けを減らすためにメッセージデータの次のパケットの代わりに用いる活動要求データのパケットを前記遠隔の通信局に送信するステップと、
を含む、メッセージデータのパケットを送信する方法。
【発明の詳細な説明】
本発明は、一般に無線通信システムの送信局と受信局の間の、メッセージデータのパケットの通信に関する。詳しく述べると本発明は、メッセージデータの追加パケットを受信局が受信する見込みがあると判定したときに、送信局が受信局にメッセージデータの追加パケットを選択的に送信する方法とその関連装置に関する。
送信されたメッセージデータの選択された数のパケットを受信したと受信局が応答しない場合は、活動要求データの１個または複数個のパケットを受信局に送る。活動要求データのパケットを受信したという応答があるかまたは受信したという応答がなければ、受信局がメッセージデータの追加パケットを受信する見込みが確定的になる。
メッセージデータの追加パケットを遠隔の通信局が受信する見込みがないと判定した場合は追加パケットを送らない。これにより、無線通信システムに割り付けられた周波数スペクトルのその部分をより有効に使用することができる。チャンネルは、受信される見込みのあるメッセージデータのパケットを送信するのに用いられる。受信される見込みのないメッセージデータのパケットは選択的に送信しないので、チャンネルは解放されて他の受信局向けの他のメッセージデータのパケットを送信するのに用いることができる。
メッセージデータの前のパケットを受信したという受信局からの応答を検出した場合は、送信局はメッセージデータの追加パケットを受信局が受信する見込みがあると判定する。前に送信されたメッセージデータの選択された数のパケットを受信したという応答を検出しない場合は、送信局は１個または複数個の活動要求データを受信局に送信する。活動要求データのパケットの長さは、メッセージデータの一般的なパケットの長さよりかなり短い。したがってこのような活動要求データのパケットを送信すれば、送信されたパケットを受信局が受信したかどうか判定するためのパケットを送信するのに必要なチャンネル割付けは少なくてすむ。この後、送信局は活動要求データのパケットを受信局が受信したことを検出すると、メッセージデータの追加パケットを受信局に送信する。
本発明は、例えば、メッセージフレームを移動体無線モデムに伝送するモビテックス(Mobitex)（ｔｍ）システムで実現してよい。移動体無線モデムが受信する見込みがあるメッセージフレームだけを送信するので、システムの容量は実際上増加する。移動体無線モデムが受信する見込みがないと判定した場合はメッセージフレームを送信しない。このチャンネルは、他の移動体無線モデムにメッセージフレームを送るのに用いることができる。
発明の背景
通信システムは、最小規模では通信チャンネルで接続された送信器と受信器で形成される。送信器は送信局の少なくとも一部を形成し、受信器は受信局の少なくとも一部を形成する。送信局が送信する通信信号は通信チャンネルにより送られ、受信局はこれを受信する。
無線通信システムは、通信チャンネルが電磁周波数スペクトルの一部で形成される通信システムである。送信局と受信局の間のリンクを形成するのに、固定接続すなわち配線による接続は必要ない。したがって無線通信システムは、このような固定的なすなわち配線による接続が難しい場合または実際的でない場合に用いられる。
或るパケットデータ無線通信システムでは、送信局と受信局の間にパケットデータを伝送する。パケットデータ通信では、受信局に送るデータをパケットに書式化する。パケットに書式化すると、１個のパケットまたは数個の連続したパケットの形の離散的バーストで情報を受信局に送ることができる。このようなシステムでは、パケットを送るチャンネルが利用可能なときにパケットを送る。
モビテックス（ｔｍ）システムは、パケットデータ通信を用いて送信局と受信局の間に情報を伝送する無線通信システムの例である。モビテックス（ｔｍ）システムは、モビテックス網と複数個の移動体無線モデムで形成する多ユーザシステムである。移動体無線モデムに伝送する情報はデータのフレームに書式化する。データの各フレームは、移動体無線モデムに送るパケットを形成する。一連のフレームを移動体無線モデムに送ることにより、大量の情報を移動体無線モデムに伝送する。移動体無線モデムがメッセージフレームを受信すると、モデムはメッセージフレームの受信を確認する肯定応答信号をモビテックス網に送り返す。
無線通信チャンネルは理想的なチャンネルではないので、チャンネルで送信するメッセージフレームは信号の質が劣化する。この信号の質の劣化は、例えば信号チャンネルに干渉が発生するときや、モビテックス網と移動体モデムの距離が大きいときや、その他の通信の不安定要因により起こる。信号の質の劣化が大きいと、移動体無線モデムはモビテックス網で送信するメッセージフレームを検出できない場合がある。
フレームを検出しないと、移動体無線モデムは肯定応答を網に返さない。少なくとも１つの既存のモビテックスシステムでは、このように肯定応答がない場合でも、メッセージフレームに対して肯定応答を一切しない移動体無線モデムに、１２以下のまたは１２を超える多数のメッセージフレームを引き続き送信する。そして、この大量のメッセージフレームを送信した後でも、網は無線モデムが非活動状態にあると指定するだけである。この場合は、メッセージフレームの送信者は無線モデムに送信するためのこのメッセージフレームを、その無線モデムに関連するメッセージ郵便箱などのメモリ位置に記憶するだけである。
他の多くの無線通信システムと同様に、モビテックスシステムに割り付けられる電磁スペクトルは限られている。スペクトルの割り付けられた部分を何らかの方法で有効に利用すれば、モビテックスシステムの容量を実際上増やすことができる。受信できない移動体無線モデムに長い一連のメッセージフレームを送ると割り付けられたスペクトル部分をむだに使うことになるので、メッセージフレームを受信できないことを迅速に判定することができれば有益である。
より一般的に述べると、パケットデータを伝送する任意の通信システムにおいて、システムに割り付けられたチャンネルの容量をより有効に用いることは有益である。
パケットデータ通信システムを用いる通信システムのこのような背景を考えて、本発明は優れた改善を提供する。
発明の概要
本発明は、メッセージデータの追加パケットを選択的に受信局に送信する優れた方法を提供する。メッセージデータの追加パケットを受信局が受信する見込みがあると判定した場合は、メッセージデータの追加パケットを受信局に送信する。追加パケットを受信局が受信する見込みがないと判定した場合は、少なくとも選択的に追加パケットを送らない。
したがって、メッセージデータのパケットを受信する見込みのある受信局には送信局と受信局の間のリンクを形成するチャンネルを用いてデータのパケットを送信するが、メッセージデータのパケットを受信する見込みがないと判定した受信局には送信しない。このシステムに割り付けられたチャンネルの通信容量は、これにより実際上増加する。
本発明の１つの態様では、メッセージデータの前のパケットを受信したという受信局からの応答を検出した場合は、メッセージデータの追加パケットを受信局が受信する見込みがあると送信局は判定する。メッセージデータの前のパケットを受信したという応答を検出しない場合は、送信局は活動要求データのパケットを受信局に送信する。活動要求データのパケットを受信局が受信したことを検出した場合は、送信局はメッセージデータの追加パケットを受信局に送信する。
本発明の別の態様では、モビテックスシステムのモビテックス（ｔｍ）網は移動体無線モデムにメッセージフレームを選択的に送信する。メッセージデータの追加パケットを無線モデムが受信する見込みがあると判定した場合は、追加メッセージフレームを無線モデムに送信する。前に送信したメッセージフレームを無線モデムが受信した場合は、追加メッセージフレームを無線モデムが受信する見込みがあると判定する。前に送信したメッセージフレームを無線モデムが受信しなかったと判定した場合は、活動要求フレームを送信して、活動要求フレームを無線モデムが受信したかどうか判定する。活動要求フレームを無線モデムが受信したと判定した場合は、追加メッセージフレームを無線モデムに送信する。そうでない場合は、追加メッセージフレームを移動体無線モデムが受信する見込みがないので、追加メッセージフレームを無線モデムに送信しない。
本発明の別の態様では、追加メッセージフレームと活動要求フレームの長さを比較する。既存のモビテックスシステムでは、データのフレームは最大３２ブロックのデータを含み、各ブロックは８バイトのデータを含む。データのブロックはヘッダの後にある。活動要求フレームは、ヘッダの後に１ブロックだけのデータを含む。比較の結果メッセージフレームが活動要求フレームより短いまたは余り長くない場合は、活動要求フレームではなくメッセージフレームを無線モデムに送る。
本発明の更に別の態様では、いくつかのメッセージフレームを無線モデムに送信した後、モビテックス網が応答を検出しないときは活動要求フレームを無線モデムに送る。モビテックス網が活動要求フレームの応答を検出した場合は、前に送信したが応答がなかったメッセージフレームを再送信した後、追加メッセージフレームを移動体無線モデムに送信する。前に送信したメッセージフレームは、例えばメッセージ郵便箱に記憶してあるものを再送信する。
したがって本発明の態様は、パケット切替え網の一部を形成する送信局から受信局にメッセージデータのパケットと活動要求データのパケットを選択的に送信する装置とその関連の方法を開示する。パケット切替え網の送信局は少なくとも１つの受信局にデータのパケットを伝送する。送信器は、メッセージデータのパケットと活動要求データのパケットを受けるよう選択的に結合する。これらを受けると、送信器はメッセージデータおよび活動要求データのパケットをそれぞれ送信する。応答検出器は、遠隔の通信局が肯定応答信号を出したかどうか検出する。各肯定応答信号は、送信器が送信したパケットを遠隔の通信局が受信したことを確認する。応答検出器が検出するとパケットデータコントローラが動作する。パケットデータコントローラは、送信器がメッセージデータのパケットと活動要求データのパケットを選択的に受けるようその結合を制御する。前に送信器が送信した少なくとも１個のパケットに応える肯定応答信号を応答検出器が検出すると、送信器はメッセージデータのパケットを受けるよう結合する。また、前に送信器が送信した少なくとも１個のパケットに応える肯定応答信号を応答検出器が検出しないと、送信器は活動要求データのパケットを受けるよう結合する。
本発明とその範囲のより完全な理解は、後で簡単に説明する添付の図面と、本発明の好ましい実施の形態の以下の詳細な説明と、特許請求の範囲から得られる。
【図面の簡単な説明】
図１は、本発明の１つの実施の形態において動作する無線通信システムの機能ブロック図を示す。
図２は、本発明の１つの実施の形態における方法のステップを示す方法流れ図である。
図３は、図２と同様であるが、本発明の別の実施の形態における方法のステップを示す方法流れ図である。
図４は、図２および図３と同様であるが、本発明の更に別の実施の形態における方法流れ図である。
図５Ａ−Ｂは、本発明の１つの実施の形態における例示の動作を示す。
図６Ａ−Ｂも、送信局と受信局の間でデータのパケットを伝送する、本発明の１つの実施の形態の動作を図的に示す。
詳細な説明
図１は、本発明の１つの実施の形態において動作する、一般に１０で示す無線通信システムである。図に示す例示の実施の形態では、通信システム１０はモビテックス（ｔｍ）システムを形成し、データのフレームをモビテックス網１２と移動体無線モデム１４の間に伝送する。
ここに示す本発明の実施の形態の動作により、網１２とモデム１４の間の通信に割り付けられたチャンネルを有効に使用することができる。移動体無線モデム１４に送信するメッセージフレームは、メッセージフレームをモデム１４が受信する見込みがある場合にモデム１４に送信する。メッセージフレームを無線モデム１４が受信する見込みがないと判定した場合は、メッセージフレームを選択的に無線モデムに送らない。無線モデム１４にメッセージフレームを送るためのチャンネルは、他の無線モデムにメッセージフレームを送るよう割り付けることができる。網は無線モデムが受信する見込みがないメッセージフレームを選択的に送信しないので、通信システム１０に割り付けられるチャンネルの有効容量は実際上増加する。
図に示す例示の実施の形態の網１２は、無線モデム１４に送信する情報を有する情報源１６を含む。図には情報源１６を機能的に示しているが、情報源が表すデータは通常の方法でここで生成してもよいし、または外部からここに供給してもよい。
情報源１６は書式化器／パケット化器１８に結合する。書式化器／パケット化器１８は、与えられたデータを情報システム１０が用いる通信方式に従う形式に書式化する。通信システム１０がモビテックスシステムを形成する例示の実施の形態では、情報をデータのフレームに書式化する。例示のメッセージフレーム２２を図に示す。書式化器／パケット化器１８が形成する各メッセージフレームは、ヘッダ部２４と、その後に最大３２個のデータのブロック２６を含む。各データのブロック２６は最大１８バイトのデータで形成する。
書式化しパケット化した後、メッセージフレームを線３２により送信器２８に選択的に送信する。線３２を送信器２８に選択的に結合する手段を図のスイッチ要素３４で示す。スイッチ要素３４により線３２を送信器２８に結合すると、送信器２８はメッセージフレーム２２を変調して網１２と無線モデム１４の間のリンクを形成する選択されたチャンネルで送信する。図に示す変調信号３８は、送信器２８が網１２と無線モデム１４の間のリンクに生成した変調信号を表す。
前に述べたように、送信されたメッセージフレームを移動体無線モデム１４が受信すると、モデム１４はメッセージフレームを受信したことを確認する。移動体無線モデム１４は肯定応答４２を生成して網１２に送り返す。しかしモデム１４がメッセージフレームを受信しない場合は肯定応答を生成せず、または網１２に送り返さない。
従来のモビテックスシステムでは、無線モデム１４に送信するメッセージが長く、またモデム１４に送信して情報を伝送するには複数個のメッセージフレーム２２を必要とする。そして、無線モデム１４から網１２に肯定応答４２を送り返したことを検出したかどうかに関わらず、複数個のメッセージフレーム２２を移動体無線モデム１４に送信する。すなわち、前のメッセージフレームをモデム１４が受信したという応答がなくても、追加メッセージフレーム２２を送信する。
網１２は、モデム１４などの移動体無線モデムから送信されるアップリンク信号を受信する受信器４６を更に含む。例えば、送信されたメッセージフレームを受信したことを移動体無線モデム１４が肯定応答４２により確認すると、受信器４６はこの肯定応答を受信する。受信器４６は受信した信号を従来の方法で復調し、これを表す信号を生成して、線４８により別の回路（図示しないが従来の回路）を通して情報シンク(information sink)５２に与える。
また線４８には応答検出器５４が結合して、網局１２の受信器４６が肯定応答４２を受信したことを検出する。肯定応答の受信を応答検出器５４が検出すると、応答検出器は受信したことを示す信号を線５６に出す。
線５６は制御装置６２の制御要素５８に結合する。制御要素５８はこの信号を受けると、スイッチ要素３４のスイッチ位置を制御する。
網局１２は活動要求発生器６４を更に含む。活動要求発生器は活動要求を生成する。活動要求は、本発明の１つの実施の形態の動作中に移動体無線モデム１４の状態を問い合わせるのに用いる。発生器６４は、生成した活性要求を書式化器／パケット化器６８に与える。書式化器／パケット化器６８の動作は書式化器／パケット化器１８と同様であって、与えられた活動要求を通信システム１０の通信方式に従う方法で書式化する。通信システム１０がモビテックスシステムである。この例示の実施の形態では、書式化器／パケット化器６８はヘッダ７４と、活動要求を示す１ブロック７６で形成する活動要求フレーム７２を作成する。書式化器／パケット化器６８が生成する活動要求フレームは、線８２を経てスイッチ要素３４により送信器２８に選択的に与えられる。
本発明の実施の形態の動作中に、メッセージフレーム２２を移動体無線モデム１４に送信したことに応答してモデム１４が網１２に肯定応答４２を送り返したことを検出器５４が検出しないときは、制御要素は線８２を送信器２８に選択的に接続する。線８２を送信器２８に結合すると、送信器２８は活動要求フレーム７２を変調して移動体無線モデム１４に送信する。活動要求フレーム７２は１ブロック７６だけで形成するので、活動要求フレーム７２をモデム１４に送信するのに必要なリンク時間は、メッセージフレーム２２が１個を超えるブロック２６を含む場合にメッセージフレームを送信するのに必要なリンク時間より短い。
図の実施の形態では、制御装置６２は比較器９４を更に含む。比較器９４は、長さ検出器８６と、活動要求値を記憶するメモリ素子８８に結合する。長さ検出器８６は線３２に結合して、線３２上に生成されたフレーム２２のフレーム長さを判定する。
メモリ要素８８に記憶される活動要求値は、活動要求フレーム７２の長さに相当する値である。活動要求フレーム７２は単一ブロックの１ブロック長なので、活動要求値は一定値であり、またそれを示す。別の実施の形態では、長さ検出器はメモリ要素８８に記憶されている活動要求値ではなく活動要求フレームの長さを判定するのにも用いられる。
比較器８４は、長さ検出器８６が判定したメッセージフレーム２２とメッセージ要素８８に記憶されている活動要求値の長さを比較する。比較器８４は、制御要素５８に結合する線９２に比較信号を出す。
本発明の１つの実施の形態では、制御要素５８はスイッチ要素３４のスイッチ位置を選択して、応答検出器５４が肯定応答４２を検出せず、かつ次に移動体無線モデム１４に送信するメッセージフレーム２２が選択された長さ（例えば活動要求フレーム７２の長さまたはその小さな倍数など）より短い場合は、活動要求フレーム７２を送信器２８に与えるスイッチ位置にする。したがってこの実施の形態では、次に送信するメッセージフレームが活動要求フレーム７２より余り長くない場合は、前に送信されたメッセージフレーム２２に対する前の肯定応答４２が検出されないときメッセージフレーム２２を移動体無線モデム１４に送信する。
図の実施の形態では、制御装置６２はメッセージフレームカウンタ９４を更に含む。メッセージフレームカウンタ９４は送信器２８の出力側に結合して、送信器２８が移動体無線モデム１４に送信したフレームの数を数える。移動体無線モデム１４に送信したメッセージフレームの数は線９６を経て制御要素５８に与えられる。１つの実施の形態では、パケットカウンタ９４は網局１２が別個の移動体無線モデムに送るメッセージフレームを識別する。
本発明の別の実施の形態では、制御要素５８は部分的にカウンタ９４の計数に応じて、スイッチ要素３４のスイッチ位置を選択して線８２を送信器２８に結合する。或る選択された数（例えば２）のメッセージフレームを或る移動体無線モデムに送信してもこのメッセージフレームに対する肯定応答を応答検出器５４が検出しないときは、線８２を送信器２８に結合して活動要求フレーム７２を送信する。
本発明の動作の例示の実施の形態では、メッセージフレーム２２をモデム１４に送信すると、モデム１４はこのメッセージフレームを受信したことを示す肯定応答４２を生成する。応答検出器５４が肯定応答４２を検出しない場合は、制御要素はスイッチ要素３４のスイッチ位置を変更して、網局１２はモデム１４に活動要求フレームを送信する。モデム１４が活動要求フレームを受信したという肯定応答４２を返さない場合は、その後は移動体１４に追加メッセージフレーム４２を送信しない。このように、その後のメッセージフレーム２２をモデム１４が受信する見込みがないと判定すると、リンクを形成するチャンネルを他のモデムとの通信に割り付けることができる。
図２は、一般に１１０で示す本発明の１つの実施の形態の方法のステップを示す。これは、図１に示す網局１２などの送信局から、これも図１に示す移動体無線モデム１４などの受信局にメッセージフレームを選択的に送信する方法である。
開始ブロック１１２で開始した後、ブロック１１４で受信局に送信するメッセージフレームを検索する。次に、ブロック１１６でメッセージフレームを受信局に送信する。
前に説明したように、受信局はメッセージフレームを受信するとメッセージフレームを受信したと応答する。受信局にメッセージフレームを送信すると、送信局はブロック１１８に示すように肯定応答を受信するのを待つ。選択された時間が経過した後、ブロック１２２に示すように肯定応答を受信したかどうか判定する。受信した場合は、ＹＥＳ分岐によりブロック１１４に戻り、受信局に送信する次のメッセージフレームがあれば検索する。１つの実施の形態では、受信局が生成した別の信号の送信を検出したかどうかも判定する。例えばモビテックスシステムでは、モデムが生成したメッセージデータのパケットを網局が受信した場合も、ＹＥＳ分岐によりブロック１１４に戻る。このような判定は、例えば割込みなどにより行うことができる。
肯定応答を受信しない場合は、判定ブロック１２２からＮＯ分岐によりブロック１２４に進み、活動要求フレームを検索する。検索すると、ブロック１２６に示すように活動要求フレームを受信局に送信する。
送信局は再び、受信局が活動要求フレームを受信したことを示す受信局からの肯定応答を或る選択された時間待つ。
肯定応答を受信したかどうかは判定ブロック１３２で判定する。受信した場合は、ＹＥＳ分岐によりブロック１１４に戻り、モデム１４に送信するメッセージフレームを再び検索する。１つの実施の形態では、前に受信局に送信したがまだ受信局から受信したという確認がないフレームは、メッセージ郵便箱に記憶してこれを再送信に用いる。再送信メッセージフレームを再送信した後、受信局がこれを受信したと応答すると、次のメッセージフレームがあればこれを受信局に送信する。１つの実施の形態では、判定ブロック１２２に関する説明と同様に、受信局からの何か別の信号の送信を検出したかどうかも判定する。
判定ブロック１３２で活動要求フレーム１２６の送信に対する応答を受信しない場合はＮＯ分岐によりブロック１２４に戻り、活動要求フレームを受信局に再送信する。別に図示しないが、本発明の１つの実施の形態では、選択された数の活動要求フレームを受信局に送信しても応答がない場合は、少なくとも或る選択された休止期間中は追加活動要求フレームを送信しない。
方法１１０の動作により、パケットデータ通信を用いる多ユーザ通信システムにおいて割り付けられる通信チャンネルを有効に使用することができる。データのパケットを受信局が受信する見込みがある場合は受信局向けの送信データのパケットを送信する。メッセージデータのパケットを受信局が受信する見込みがないと判定した場合は、送信局は活動要求を送って受信局の活動状態を問い合わせる。活動要求を受信したという応答を送信局が検出した場合は、送信局は追加メッセージフレームを受信局に送信する。
図３は、一般に１６０で示す本発明の別の実施の形態の動作の方法を示す。この方法も、送信局から受信局に（例えば、図１に示す網局１２から無線モデム１４に）メッセージフレームを選択的に送信する。図１に示すシステム１０に関して説明するが、方法１６０はもちろん他の通信システム内の受信局にデータを選択的に送信する場合にも同様に用いることができる。
開始ブロック１６２で開始した後、ブロック１６４で受信局に送信するメッセージフレームを受ける。次に、ブロック１６６に示すように網局から無線モデムにメッセージフレームを送信する。
網局は、無線モデムが送信する肯定応答信号を受信したことの検出を或る選択された時間待つ。判定ブロック１７２で、メッセージフレームを無線モデムが受信したことを確認する肯定応答信号を網局が受信したかどうか判定する。受信した場合はＹＥＳ分岐によりブロック１６４に戻り、次のメッセージフレームを検索する。図２に示した判定ブロック１２２に関する説明と同様に、他の信号を検出したかどうかの判定も更に行う。
網局が肯定応答を検出しない場合は、ＮＯ分岐により判定ブロック１７２から判定ブロック１７３に進む。判定ブロック１７３で、無線モデムに送信した選択された数（Ｎ）の連続フレームを無線モデムが受信したという肯定応答がなかったかどうか判定する。あった場合は、ＮＯ分岐によりブロック１６４に戻り、次のメッセージフレームを検索する。
しかし選択された数の連続したフレームを無線モデムに送信しても受信したという応答がなかった場合は、ＹＥＳ分岐により判定ブロック１７３からブロック１７４に進む。ブロック１７４で活動要求フレームを検索する。
次に、ブロック１７６に示すように活動要求フレームを無線モデムに送信する。網局は、活動要求フレームを受信したという無線モデムからの応答を或る選択された時間待つ。
判定ブロック１８２で、無線モデムが生成した肯定応答を受信したかどうか判定する。肯定応答を受信した場合はＹＥＳ分岐により判定ブロック１８２からブロック１６４に戻り、メッセージフレームを再び検索する。前に説明した実施の形態と同様に、１つの実施の形態では、判定ブロック１８２からブロック１６４にＹＥＳ分岐により戻ると、少なくとも１つの実施の形態ではＮ個の前に送信したメッセージフレームを前の説明と同じ方法で無線モデムに再び送信する。図２に示した判定ブロック１３２の説明と同様に、この場合も他の信号を検出したかどうかの判定を行う。
図４は、一般に２１０で示す本発明の別の実施の形態の方法のステップを示す。方法２１０も、送信局から受信局に（例えば、前に図１に示した網局１２から無線モデム１４に）メッセージフレームを選択的に送信する。方法２１０の例示の実施の形態ではデータのフレームに書式化されたデータのパケットの送信に関する動作を再び説明するが、方法２１０は送信局と受信局の間に別の種類のパケットデータを同様に選択的に送信する。
開始ブロック２１２で開始した後、ブロック２１４に示すように送信するメッセージフレームを検索する。次に、ブロック２１６に示すようにメッセージフレームを網局から移動体無線モデムに送信する。
網局は或る選択された時間待ち、無線モデムに送信したメッセージフレームを検出したことに応じて無線モデムが生成した応答を確認する。判定ブロック２２２で、網局が肯定応答信号を受信したかどうか判定する。受信した場合はＹＥＳ分岐によりブロック２１４に戻り、追加メッセージフレームがあれば検索する。受信しない場合はＮＯ分岐により判定ブロック２１２からブロック２２４に進み、追加メッセージフレームがあれば同様に検索する。前に図２および図３に示した判定ブロック１２２および１７２での判定と同様に、受信局が生成した他の信号を検出したかどうかも判定する。
次に判定ブロック２２５に示すように、ブロック２２４のステップで受信したメッセージフレームの長さが活動要求フレームの長さより長いかどうか判定する。
長い場合はＹＥＳ分岐によりブロック２２６に進み、活動要求フレームを検索する。次に、ブロック２２７に示すように活動要求フレームを網局から無線モデムに送信する。次にブロック２２８に示すように、網局は、活動要求フレームを受信したことを確認する無線モデムからの肯定応答信号を受信したことの検出を或る選択された時間待つ。
逆に、メッセージフレームの長さが活動要求フレームの長さより長くない場合は、判定ブロック２２５からＮＯ分枝によりブロック２３０に進み、ブロック２２４に示すように検索したメッセージフレームを無線モデムに送信する。次にブロック２２８に関して前に説明したように、網局は或る選択された時間待つ。
次に、判定ブロック２３２に示すように網局は肯定応答を検出したかどうか判定する。検出した場合はＹＥＳ分岐によりブロック２１４に戻り、別のメッセージフレームを検索する。検出しない場合は、ＮＯ分岐により判定ブロック２３２からブロック２２４に戻る。この場合も、前に図２と図３に示す判定ブロック１３２および１８２で行った判定と同様に、受信局で生成した他の信号を検出したかどうかも判定する。
方法２１０の動作により、メッセージフレームを選択的に無線モデムに送信することができる。メッセージフレームを無線モデムが受信する見込みがあると判定した場合は、メッセージフレームがあれば引き続き無線モデムに送信する。追加メッセージフレームを無線モデムが受信する見込みがないと判定した場合は、網局と特定の無線モデムの間のリンクを形成するよう割り付けられたチャンネルを他の目的に再割付けすることができる。
図５Ａ−Ｂは、モビテックスシステムのモビテックス（ＴＭ）網局１２が移動体無線モデム１４にメッセージフレームを選択的に送信する、本発明の１つの実施の形態の例示の動作を示す。移動体無線モデムに送信する情報が、モデム１４に情報を伝送するのに連続したフレームを必要とする場合は、無線モデム１４に追加メッセージフレームを送信したときに無線モデムが受信する見込みがあるかどうかを網局は判定する。追加メッセージフレームを無線モデム１４が受信する見込みがないと判定した場合は、網局と無線モデムの間のリンクを形成するよう割り付けられたチャンネルを再割付けして、チャンネルの使用効率を高めることができる。
図５Ａは、モビテックスシステム１０の網局１２と無線モデム１４を示す。網局１２はメッセージフレーム２２を生成して、網局１２の一部である基地局２３４から送信する。メッセージフレームを無線チャンネル（ここでは無線チャンネル２３６）により無線モデム１４に送信する。図５Ａに示すように、送信が中断するとメッセージフレームは無線モデム１４に伝送されない。無線モデム１４がメッセージフレームを受信しないので、無線モデム１４は肯定応答信号を生成せず、したがってメッセージフレームを受信したという応答をしない。
図５Ｂも、網局１２と無線モデム１４を有するモビテックスシステムを示す。図５Ｂに示す例示の動作では、メッセージフレームを受信したことを確認するモデム１４からの肯定応答信号を網局１２が検出しないときは、活動要求フレーム７２を生成してチャンネル２３６により無線モデム１４に送信する。この場合も、図５Ｂで送信が中断するとモデム１４は活動要求フレームを受信しない。無線モデム１４が活動要求フレームを受信しないので、無線モデムは肯定応答信号を生成せず、したがって網局に返さない。前に説明したように、網局は活動要求フレームの受信を確認する肯定応答信号を受信しないときは、無線モデムに追加メッセージフレームを送信せず、局１２と無線モデム１４の間のリンクを形成するよう割り付けられたチャンネル２３６を再割付けすることができる。
図６Ａは、活動要求フレーム２２を無線モデム１４に送信して無線モデム１４がこの活動要求フレームを受信したときの、本発明の１つの実施の形態の動作を示す。無線モデム１４が活動要求フレームを受信すると、無線モデムは図に示す線２３８により肯定応答信号を生成して網局に送り返す。
網局はチャンネル２３８により送信された肯定応答信号を受信したことを検出すると、追加メッセージフレームを送信したときに無線モデム１４がこれを受信する見込みがあると判定する。次にその後に続くメッセージフレーム２２（図にフレームＮで示す）を生成して、無線チャンネル２３６により無線モデム１４に送信する。無線モデム１４は追加メッセージフレームを受信すると肯定応答信号を生成して、これも網の無線チャンネル２３８により網局に返す。
図６Ｂは、網局１２から移動体無線モデム１４に追加メッセージフレームを伝送する連続動作を示す。この場合は、Ｎ＋１フレームを生成して無線通信チャンネル２３６により移動体無線モデム１４に送信する。モデム１４はこれを受信すると肯定応答信号を生成して網局１２に送り返す。
本発明の１つの実施の形態の動作により、送信局と受信局の間にデータのパケットを伝送する特定の通信システムに割り付けられた電磁無線スペクトルの一部を有効に使用することができる。受信局がメッセージデータの追加パケットを受信する見込みがないと判定した場合は、メッセージデータの追加パケットをその受信局に送信せず、送信局と受信局の間のリンクに割り付けられたチャンネルを他の目的に再割付けすることができる。
上記の説明は本発明を実現する好ましい例であるが、本発明の範囲は必ずしもこの説明に限定されるものではない。本発明の範囲は以下の請求の範囲により規定される。
【図１】
0003822912.tif 000002
【図２】
0003822912.tif 000003
【図３】
0003822912.tif 000004
【図４】
0003822912.tif 000005
【図５Ａ】
0003822912.tif 000006
【図５Ｂ】
0003822912.tif 000007
【図６Ａ】
0003822912.tif 000008
【図６Ｂ】
0003822912.tif 000009